(57)【要約】      （修正有）【課題】穀物等の被乾燥物の乾燥品質が良好であると共にその乾燥効率を高めることができる乾燥機の熱風装置を提供する。【解決手段】乾燥機本体２１の前後方向に亘って複数の送風機３２と複数の排風機４２とが互いに対向して乾燥空間を介して設けられている。乾燥空間は、この実施の形態では、貯留室から繰り出してくる被乾燥物を均一に分散させる分散エリアと、均一に分散した被乾燥物を乾燥する乾燥エリア２２２とに上下２分割し、乾燥エリア２２２では、被乾燥物が通過するように前後方向に亘って互いに所定の間隔を開けて配列すると共に左右方向に延びて設けられた通路２２３と、通路２２３の左右方向の両側（乾燥機本体２１の前後方向）に送風流路２２４と排風流路２２５とが順番に配列されている。送風流路２２４と排風流路２２５とに安定した熱風を流入させることができる。【選択図】図４
0003195709.tif 000002
【実用新案登録請求の範囲】
【請求項１】
所定の間隔をおいて配列された第１の側壁及び第２の側壁により被乾燥物を取り入れるための乾燥空間を画成するように設けられた乾燥機本体を有する乾燥機に用いられる熱風装置であって、
前記乾燥機は、前記乾燥空間を、前記被乾燥物を均一に分散させる分散エリアと、均一に分散した前記被乾燥物を乾燥する乾燥エリアとに上下２分割し、前記乾燥エリアでは、前記被乾燥物が通過するように前後方向に亘って互いに所定の間隔を開けて配列すると共に前記前後方向と同一平面で且つ直角な左右方向に延びて設けられた通路と、前記通路の前記左右方向の両側に送風流路と排風流路とが順番に配列され、
前記熱風装置は、
前記乾燥エリアと連通する熱風室を画成した箱体が前記乾燥機本体の前記第１の側壁に一体状に連結して設けられ、前記前後方向に亘って互いに所定の間隔をあけて配列されるように前記箱体に垂直に取り付けられている複数の送風機と、熱風を複数の前記送風機に送り込むべく複数の前記送風機と連通するように前記前後方向に延びて設けられた熱風ダクトとを有する送風ユニットと、
前記乾燥空間を介して前記送風ユニットと対向して設けられ、前記前後方向に亘って互いに所定の間隔をあけて配列されている複数の排風機を有する排風ユニットと、を備えていることを特徴とする乾燥機の熱風装置。
【請求項２】
複数の前記送風機のそれぞれは、
前記左右方向及び前記前後方向と異なる平面で且つ垂直な方向である上下方向にストレート状に延びるように前記熱風ダクトと連結された第１の継ぎ管部と、
前記上下方向に延びるように前記箱体と連結された第２の継ぎ管部と、
前記第１の継ぎ管部と前記第２の継ぎ管部との間に連結された第３の継ぎ管部とを有することを特徴とする請求項１に記載の乾燥機の熱風装置。
【請求項３】
前記第３の継ぎ管部は、
前記第１の継ぎ管部と連結するように設けられ、前記第１の継ぎ管部よりも大きい管径を有し、外部の風を吸い込んで前記熱風ダクトからの熱風と混ぜて前記熱風の温度を調整可能に設けられている混ぜ部と、
前記混ぜ部を前記第２の継ぎ管部と連結させる繋ぎ部とを有し、
前記繋ぎ部は、下方に向かって小径になるように形成されていることを特徴とする請求項２に記載の乾燥機の熱風装置。
【請求項４】
前記第２の継ぎ管部は、前記繋ぎ部側に連結された小径部と、前記箱体側に連結された大径部とを有するように、下方に向かって大径になることを特徴とする請求項３に記載の乾燥機の熱風装置。
【請求項５】
前記箱体の前記第１の側壁に対向する前記前後方向に延びる壁面には、外部と前記熱風室とを連通する、格子状に配列された複数の通気口が形成されていることを特徴とする請求項４に記載の乾燥機の熱風装置。
【請求項６】
前記排風ユニットは、前記排風機のそれぞれに対応して、前記排風機のそれぞれを収容して取り付けるように、前記左右方向に延びて前記乾燥機本体の前記第２の側壁に一体状に連結される複数の排風ダクトを更に設けていることを特徴とする請求項１〜５のいずれか一項に記載の乾燥機の熱風装置。
【請求項７】
前記送風機と前記排風機との数が同一であることを特徴とする請求項１〜６のいずれか一項に記載の乾燥機の熱風装置。
【考案の詳細な説明】
【技術分野】
【０００１】
本考案は、熱風装置に関し、特には籾や麦等の主要穀物を乾燥する乾燥機における熱風装置に関する。
【背景技術】
【０００２】
籾や麦等の主要穀物を乾燥する従来の大型乾燥機の一例が図５と図６に示されている。図５と図６に示されているように従来の大型乾燥機１は、穀物等の被乾燥物を乾燥する乾燥空間１２を画成した略直方体形状の乾燥機本体１１と、乾燥機本体１１に取り付けられた送風機１３及び排風機１４とを備えている。乾燥空間１２は、被乾燥物が通過するように所定の間隔をあけて配列された複数の通路１２１と、熱風が通過するように隣接した通路１２１同士の間に設けられた流路１２２とに仕切られている。送風機１３と排風機１４とは乾燥空間１２を挟んで乾燥機本体１１の相反する両側に取り付けられており、送風機１３によって流路１２２に向かって熱風を送り込み、排風機１４によって流路１２２を通過した熱風を吸引しながら、隣接した通路１２１を経て外に送り出す。通路１２１を通過する熱風によって通路１２１内の被乾燥物を乾燥することができる。
【考案の概要】
【考案が解決しようとする課題】
【０００３】
従来の乾燥機１では、送風機１３による熱風の送入及び排風機１４による吸引によって被乾燥物を通路１２１に沿って通過させながら乾燥することができる。しかしながら、乾燥機本体１１は通常大きな長方体に形成され、送風機１３と排風機１４とが乾燥空間１２に向かって乾燥機本体１１の左右両側面の中央部に設けられているため、排風機１４による吸引によって送風機１３から吹き出された熱風の多くは、乾燥空間１２の中央部寄りの通路１２１に隣接された流路１２２を通過し、乾燥空間１２の両側部寄りの流路１２２を通過する熱風が少なくなる。そのため乾燥空間１２における中央部寄りの通路１２１を通過した被乾燥物はよく乾燥するが、乾燥空間１２における両側部を通過した被乾燥物は良好に乾燥できず、全ての被乾燥物に対して安定して乾燥作業を行うことができない等の問題点がある。
【０００４】
また、乾燥空間１２において温度むらがあると、例えば乾燥空間１２における両側部を通過する熱風の温度が中央部よりも低い場合、乾燥空間１２における両側部の被乾燥物が完全に乾燥せず、また中央部を通過する熱風の温度が高すぎる場合、中央部の被乾燥物が乾燥し過ぎて黒く変色したり破損したりして、乾燥品質がよくない等の問題点がある。
【０００５】
本考案は、穀物等の被乾燥物の乾燥品質が良好であると共にその乾燥効率を高めることができる乾燥機の熱風装置を提供することを目的とする。
【課題を解決するための手段】
【０００６】
上記目的を達成するために本考案は、所定の間隔をおいて配列された第１の側壁及び第２の側壁により被乾燥物を取り入れるための乾燥空間を画成するように設けられた乾燥機本体を有する乾燥機に用いられる熱風装置である。前記乾燥機は、前記乾燥空間を、前記被乾燥物を均一に分散させる分散エリアと、均一に分散した前記被乾燥物を乾燥する乾燥エリアとに上下２分割し、前記乾燥エリアでは、前記被乾燥物が通過するように前後方向に亘って互いに所定の間隔を開けて配列すると共に前記前後方向と同一平面で且つ直角な左右方向に延びて設けられた通路と、前記通路の前記左右方向の両側に送風流路と排風流路とが順番に配列されている。本考案に係る熱風装置は、前記乾燥エリアと連通する熱風室を画成した箱体が前記乾燥機本体の前記第１の側壁に一体状に連結して設けられ、前記前後方向に亘って互いに所定の間隔をあけて配列されるように前記箱体に垂直に取り付けられている複数の送風機と、熱風を複数の前記送風機に送り込むべく複数の前記送風機と連通するように前記前後方向に延びて設けられた熱風ダクトとを有する送風ユニットと、前記乾燥空間を介して前記送風ユニットと対向して設けられ、前記前後方向に亘って互いに所定の間隔をあけて配列されている複数の排風機を有する排風ユニットと、を備えていることを特徴とする。
【考案の効果】
【０００７】
本考案の乾燥機の熱風装置は、送風機と排風機とが乾燥機本体の両側面のそれぞれの前後方向の一端から他端に亘って所定の間隔をあけて配列されるように取り付けられているので、熱風が乾燥空間内の流路の全てをむらなく均一に流れることができる。従って、乾燥機の乾燥効率及び乾燥品質を有効に向上することができる。
【図面の簡単な説明】
【０００８】
【図１】大型乾燥機に取り付けられた本考案に係る乾燥機の熱風装置の一実施の形態を概略して示す斜視図である。
【図２】図１の乾燥機の内部を示す側面図である。
【図３】図１の乾燥機の内部における熱風の流通経路を示す斜視図である。
【図４】図３の乾燥機の平面図である。
【図５】従来の大型乾燥機の一例を示す図である。
【図６】図５の内部における熱風の流通経路を示す平面図である。
【考案を実施するための形態】
【０００９】
以下、本考案に係る乾燥機の熱風装置の一実施の形態について添付した図面を参照して説明する。
図１は、大型乾燥機に取り付けられた本考案に係る乾燥機の熱風装置の一実施の形態を概略して示す斜視図、図２は、図１の乾燥機の内部を示す側面図である。図中、２は直方体形状の大型乾燥機、３は乾燥機２の一側に設けられて乾燥機２内に熱風を送り込む送風ユニット、４は乾燥機２の他側に設けられて乾燥機２内の熱風を吸引して外部に送り出す排風ユニットである。なお、以下の説明において、図中、乾燥機２の短手方向Ｘを左右方向、長手方向Ｙを前後方向、高さ方向Ｚを上下方向と呼ぶ。
【００１０】
大型乾燥機２は、略前後方向に延びるように所定の間隔をおいて配列された第１の側壁２１１及び第２の側壁２１２により略長方形状に形成された乾燥空間２２を画成するように設けられた乾燥機本体２１を有する。なお、乾燥機２は、乾燥機本体２１の天井側に籾や麦等の被乾燥物を貯留する貯留室（図示せず）を備えている。乾燥空間２２は、この実施の形態では、貯留室から繰り出してくる被乾燥物を均一に分散させる分散エリア２２１と、均一に分散した被乾燥物を乾燥する乾燥エリア２２２とに上下２分割し、乾燥エリア２２２では、被乾燥物が通過するように前後方向に亘って互いに所定の間隔を開けて配列すると共に左右方向に延びて設けられた通路２２３と、通路２２３の左右方向の両側（乾燥機本体２１の前後方向）に送風流路２２４と排風流路２２５とが順番に配列されている。
【００１１】
送風ユニット３は、乾燥エリア２２２と連通する熱風室３１１を画成した箱体３１が、乾燥機本体２１の第１の側壁２１１に一体的に連結して設けられ、箱体３１の第１の側壁２１１に対向する前後方向に延びる壁面には、外部と熱風室３１１とを連通する、格子状に配列された複数の通気口３１２が形成されている。送風ユニット３は、前後方向に亘って互いに所定の間隔をあけて配列されるように箱体３１に垂直に取り付けられている複数の送風機３２と、熱風を複数の送風機３２に送り込むべく複数の送風機３２と連通するように前後方向に延びて設けられた熱風ダクト３３とを有する。
【００１２】
複数の送風機３２のそれぞれは、上下方向にストレート状に延びるように熱風ダクト３３と連結された第１の継ぎ管部３２１と、上下方向に延びるように箱体３１と連結された第２の継ぎ管部３２３と、第１の継ぎ管部３２１と第２の継ぎ管部３２３との間に連結された第３の継ぎ管部３２２とを有する。
【００１３】
第３の継ぎ管部３２２は、第１の継ぎ管部３２１よりも大きい管径を有し、外部の風を吸い込んで熱風ダクト３３からの熱風と混ぜて熱風の温度を調整可能に設けられている混ぜ部３２４と、混ぜ部３２４を第２の継ぎ管部３２３と連結させる繋ぎ部３２５とを有する。繋ぎ部３２５は下方に向かって小径になるように形成されている。
第２の継ぎ管部３２３は、繋ぎ部３２５側に連結された小径部３２７と箱体３１側に連結された大径部３２８とを有するように、下方に向かって大径になっている。
なお、図示しないが、熱風ダクト３３は、熱風を発生させる燃焼炉と連結されている。
【００１４】
排風ユニット４は、互いに熱風室３１１に対向すると共に所定の間隔をあけて配列されるように乾燥機本体２１の第２の側壁２１２に一体的に連結して設けられた複数の排風ダクト４１と、排風ダクト４１のそれぞれに配置された排風機４２（図４参照）とを有する。送風ユニット３と排風ユニット４を駆動すると、熱風が熱風室３１１より送風流路２２４に送入され、通路２２３を通過すると共に、排風流路２２５を介して排風ダクト４１を経て送り出される。なお、この実施の形態では、送風機３２と排風機４２との数は同一である。
【００１５】
次に、上記のように構成された熱風装置の動作及び作用を図３と図４に基づいて説明する。
先ず、乾燥する被乾燥物が分散エリア２２１にて均一に分散され、均一に分散された被乾燥物が通路２２３に入り込まれる。燃焼炉で発生した熱風が熱風ダクト３３に導入されて、送風機３２の第１の継ぎ管部３２１から第３の継ぎ管部３２２を経て第２の継ぎ管部３２３に導入される。なお、必要により、第３の継ぎ管部３２２の混ぜ部３２４にて外部の風が吸引されて、第３の継ぎ管部３２２に導入された熱風と混ぜてその温度を適切に調節する。所定の温度に調節された熱風が繋ぎ部３２５を経て第２の継ぎ管部３２３に導入されると、熱風室３１１に流入される。
【００１６】
排風機４２の吸引により、通気口３１２から外部の風が入り込まれて、熱風室３１１における熱風と混合されて適温な熱風になる。そして、排風機４２の吸引により熱風室３１１内の適温な熱風が送風流路２２４、そして排風流路２２５に流入されると、それらに挟まれた通路２２３における被乾燥物が乾燥される。そして、排風機４２の吸引によって、排風流路２２５に流入された熱風が排風ダクト４１を経て外部に送り出される。このように、乾燥空間２２内全体に亘ってむらなく被乾燥物を乾燥することができる。
【００１７】
以上のように本考案に係る乾燥機の熱風装置は、乾燥機本体２１の前後方向に亘って複数の送風機３２と複数の排風機４２とが設けられているので、送風流路２２４と排風流路２２５とに安定した熱風を流入させることができる。従って、乾燥空間２２内の中央部が高温で両側部が低温になることがなくなり、乾燥効率を有効に向上することができる。また、第３の継ぎ管部３２２の混ぜ部３２４と箱体３１の通気口３１２とにより入り込む外の風によって、乾燥空間２２に流入される熱風の温度を適温に調節することができるので、被乾燥物が過熱により乾燥し過ぎたり、破損する恐れがなくなる。従って、被乾燥物の乾燥品質を良好に保つことができる。また、複数の送風機３２と複数の排風機４２の数を同一にすると、安定した気流を乾燥エリア２２２に供給することができる。
【００１８】
本考案に係る乾燥機の熱風装置は、籾や麦等の穀物を乾燥する乾燥機の熱風装置として有用である。
【符号の説明】
【００１９】
２  乾燥機、２１  乾燥機本体、２１１  第１の側壁、２１２  第２の側壁、２２  乾燥空間、２２１  分散エリア、２２２  乾燥エリア、２２３  通路、２２４  送風流路、２２５  排風流路、３  送風ユニット、３１  箱体、３１１  熱風室、３１２  通気口、３２  送風機、３２１  第１の継ぎ管部、３２２  第３の継ぎ管部、３２３  第２の継ぎ管部、３２４  混ぜ部、３２５  繋ぎ部、３２７  小径部、３２８  大径部、３３  熱風ダクト、４  排風ユニット、４１  排風ダクト、４２  排風機。
【図１】
0003195709.tif 000003
【図２】
0003195709.tif 000004
【図３】
0003195709.tif 000005
【図４】
0003195709.tif 000006
【図５】
0003195709.tif 000007
【図６】
0003195709.tif 000008